(57)【要約】      （修正有）【課題】体の一部だけでなく、全身を振動させることができるとともに、振動の強度を調整することができる運動器具を提供する。【解決手段】表面に手や足を置くボード１と、ボードの底面に支点として回動自在に設けられたジョイント部２と、一端がボードの底面に回動自在に接続し、他端が偏心タイヤ４に回動自在に接続した桿体３と、軸心が偏心タイヤに連接する電動機５とを含んでなる。【選択図】図３
0003119895.tif 000002
【実用新案登録請求の範囲】
【請求項１】
表面に手や足を置くボードと、
該ボードの底面に支点として回動自在に設けられたジョイント部と、
一端がボードの底面に回動自在に接続し、他端が偏心タイヤに回動自在に接続した桿体と、
軸心が偏心タイヤに連接する電動機とを含んでなることを特徴とする運動器具。
【請求項２】
前記偏心タイヤは、軸受け座に固定して設け、ベルトを通して電気の軸心に接続することを特徴とする請求項１に記載する運動器具。
【請求項３】
前記偏心タイヤは、電動機の軸心に固定して設けることを特徴とする請求項１に記載する運動器具。
【請求項４】
前記偏心タイヤは、回転軸の一端に固定して設けられ、該回転軸は軸受け座を貫通して設け、皮製のタイヤを貫設し、該タイヤはベルトを介して電動機に接続することを特徴とする請求項１に記載する運動器具。
【請求項５】
前記偏心タイヤは、回転軸の両端に固定して設けられ、該回転軸は軸受け座を貫通し、皮製のタイヤを貫設し、該皮製のタイヤは、ベルトを通して電動機に接続することを特徴とする請求項１に記載する運動器具。
【請求項６】
前記ボードは、表面にロープを設けることを特徴とする請求項１、２、３、４、５のいずれか一に記載する運動器具。
【請求項７】
前記ボードは、表面に脚パッドもしくはハンドパッドを設けることを特徴とする請求項１、２、３、４、５のいずれか一に記載する運動器具。
【請求項８】
前記ボードは、下の部分が外側から見えないようにする下方向に延伸するカバーを底面端縁部に設けることを特徴とする請求項１、２、３、４、５のいずれか一に記載する運動器具。
【考案の詳細な説明】
【技術分野】
【０００１】
この考案は、運動器具に関し、特にベルトを通して振動を伝えて全身運動をすることができる運動器具に関する。
【背景技術】
【０００２】
従来の振動を利用した運動器具は、人気のある運動器具である。該運動器具は、疲労回復、血行促進、ダイエットなどの作用のために振動を通して手や足を動かすことにより全身を振動させる。通常の運動器具は電気でウウエストのベルトを振動させ、局部を振動、マッサージして体内の余分な脂肪を減らし、疲労回復を行うため、筋肉が引き締まり、肌のきめが細かくなる。特に現代の女性は体型が完璧な曲線を描くように臨んでいる。
【０００３】
しかしながら、現在市場で販売されている振動を利用した運動器具は体の一部にしか働きかけることができないため、実用性が高く、優れた効果を有する振動を利用した運動器具は少なく、需要を満足させることができない。
【考案の開示】
【考案が解決しようとする課題】
【０００４】
この考案は、体の一部だけでなく、全身を振動させることができるとともに、振動の強度を調整することができる運動器具を提供することを課題とする。
【課題を解決するための手段】
【０００５】
そこで、本考案の考案者は従来の技術にみられる欠点に鑑みて鋭意研究を重ねた結果、表面に手や足を置くボードと、該ボードの底面に支点として回動自在に設けられたジョイント部と、一端がボードの底面に回動自在に接続し、他端が偏心タイヤに回動自在に接続した桿体と、軸心が偏心タイヤに連接する電動機とによってなる運動器具によって、課題を解決できる点に着眼し、かかる知見に基づいて本考案を完成させた。
【０００６】
以下、この考案について具体的に説明する。
請求項１に記載する運動器具は、表面に手や足を置くボードと、該ボードの底面に支点として回動自在に設けられたジョイント部と、一端がボードの底面に回動自在に接続し、他端が偏心タイヤに回動自在に接続した桿体と、軸心が偏心タイヤに連接する電動機とを含んでなる。
【０００７】
請求項２に記載する運動器具は、請求項１における偏心タイヤが、軸受け座に固定して設け、ベルトを通して電気の軸心に接続する。
【０００８】
請求項３に記載する運動器具は、請求項１における偏心タイヤが、電動機の軸心に固定して設ける。
【０００９】
請求項４に記載する運動器具は、請求項１における偏心タイヤが、回転軸の一端に固定して設けられ、該回転軸は軸受け座を貫通して設け、皮製のタイヤを貫設し、該タイヤはベルトを介して電動機に接続する。
【００１０】
請求項５に記載する運動器具は、請求項１における偏心タイヤが、回転軸の両端に固定して設けられ、該回転軸は軸受け座を貫通し、皮製のタイヤを貫設し、該皮製のタイヤは、ベルトを通して電動機に接続する。
【００１１】
請求項６に記載する運動器具は、請求項１、２、３、４、５におけるボードが、表面にロープを設ける。
【００１２】
請求項７に記載する運動器具は、請求項１、２、３、４、５におけるボードが、表面に脚パッドもしくはハンドパッドを設ける。
【００１３】
請求項８に記載する運動器具は、請求項１、２、３、４、５におけるボードが、下の部分が外側から見えないようにする下方向に延伸するカバーを底面端縁部に設ける。
【考案の効果】
【００１４】
この考案の運動器具は全身に振動を加える事により、マッサージの効果を有するとともに、血行促進、ダイエットなどの効果を有する。
【考案を実施するための最良の形態】
【００１５】
この考案は、ベルトを通して振動を伝えて全身運動をすることができる運動器具を提供するものであって、表面に手や足を置くボードと、該ボードの底面に支点として回動自在に設けられたジョイント部と、一端がボードの底面に回動自在に接続し、他端が偏心タイヤに回動自在に接続した桿体と、軸心が偏心タイヤに連接する電動機とを含んでなり、全身に振動を加える事により、マッサージの効果を有するとともに、血行促進、ダイエットなどの目的を達成する。
係る構成の運動器具の構造と特徴を詳述するために、具体的な例を挙げ、図面を参照にして以下に説明する。
【実施例】
【００１６】
この考案の運動器具は、図１に開示するように、表面に手や足を置くボード１と、該ボード１の底面に支点として回動自在に設けられたジョイント部２と、軸受け座６に固定して設けられた偏心タイヤ４と、一端がベース１に回動自在に接続し、他端が偏心タイヤ４に接続した桿体３とを含んでなる。電動機５の軸心はベルト７を通して偏心タイヤ４に接続し、電動機５が作動すると、ベルト７を通して支軸上の偏心タイヤ４が回転し、次に桿体３の動きに伴ってボード１が上下に動く。
【００１７】
図２に開示するように、ボード１の表面にロープ１０を設ける。該ロープ１０は、利用者の体を平行に保つ作用を有するとともに、ロープ１０を通してボード１の振動を太ももに伝導する。このため、利用者の膝下の部分が振動すると同時に、太もも部分も効果的に振動させて、全身の各部位に適宜なマッサージの作用を得られる。
【００１８】
この考案の他の実施例を図３に開示する。図面によれば、利用者が手や足を置くためのボード１と、該ボード１の底面に支点として回動自在に設けられたジョイント部２と、電動機５の軸心に固定して設けられた偏心タイヤ４と、一端がボード１の底面に回動自在に接続し、他端が偏心タイヤ４に回動自在に接続した桿体３とを含んでなる。該電動機５が作動すると、軸心上の偏心タイヤ４が回転し、桿体３を通してボード１が上下に動く。
【００１９】
図４に開示するように、前述の実施例では、ボード１の表面にロープ１０を設ける。該ロープ１０は、利用者の体を平行に保つとともに、ボード１０の振動を太ももに伝導する。このため、膝下部分が振動すると同時に、太もも部分も効果的に振動させて、全身の各部位にマッサージの作用を得られる。
【００２０】
図５に、その他の実施例を開示する。図面によれば、表面に利用者が手や足を乗せるボード１と、該ボード１の底面に支点として回動自在に設けられたジョイント部２と、回転軸８の一端に固定して設けられた偏心タイヤ４と、一端がボード１の底面に回動自在に接続し、他端が偏心タイヤ４上に回動自在に接続した桿体３とを含んでなり、該回転軸８は、軸受け座６を貫通して設け、皮製のタイヤ９を貫設する。該タイヤ９は、ベルト７を介して電動機５に接続する。
【００２１】
該電動機５が作動すると、ベルト７が動いてタイヤ９が回転して、回転軸８が回転する。次に回転軸８の一端に固定して設けられた桿体３を介してボード１が上下に動く。
【００２２】
図６に開示するように、該桿体３は一端がボード１の底面に回動自在に接続し、他端が偏心タイヤ４に回動自在に接続する。
【００２３】
図７に開示するように、この実施例では、ボード１にロープ１０を設ける。該ロープ１は、利用者の体を平行に保つとともに、ロープ１０を介してボード１の振動を利用者の太ももに伝導する。よって、利用者の膝下が振動すると同時に、太もも部分を効果的に振動させて、全身の各部位にマッサージの作用を得られる。
【００２４】
また、ボード１は利用者が手や足を置く位置を位置決めし易いように、表面に脚パッドもしくはハンドパッドを設けてもよい。
【００２５】
ボード１は、底面の端縁部に下方向に延伸するカバーを設けてボード１の下の部分を外側から見えないようにしてもよい。
【００２６】
図８に、別の実施例を開示する。図面によれば、表面に、利用者が手や足を置くためのボード１と、該ボード１の底面に支点として回動自在に設けられたジョイント部２と、回転軸８の両端に固定して設けられた偏心タイヤ４と、一端がボード１の底面に回動自在に接続し、他端が偏心タイヤ４に回動自在に接続した桿体３とを含んでなり、該回転軸８は、軸受け座６を貫通して設けられ、皮製のタイヤ９を設ける。該タイヤ９は、ベルト７を介して電動機５に接続する。
【００２７】
該電動機５が作動すると、ベルト７が動いてタイヤ９が回転して、回転軸８が回転する。次に回転軸８の一端に固定して設けられた桿体３を介してボード１が上下に動く。
【００２８】
図６に開示するように、該桿体３は一端がボード１の底面に回動自在に接続し、他端が偏心タイヤ４に回動自在に接続する。
【００２９】
図９に開示するように、この実施例では、ボード１にロープ１０を設ける。該ロープ１は、利用者の体を平行に保つとともに、ロープ１０を介してボード１の振動を利用者の太ももに伝導する。よって、利用者の膝下が振動すると同時に、太もも部分を効果的に振動させて、全身の各部位にマッサージの作用を得られる。
【００３０】
また、この実施例においても、利用者が手や足を置く位置を位置決めし易いように、ボード１の表面に脚パッドもしくはハンドパッドを設けてもよい。
【００３１】
さらに、ボード１の底面の端縁部に、下方向に延伸するカバーを設けてボード１の下の部分を外側から見えないようにしてもよい。
【００３２】
該運動器具を使用する場合、利用者は適宜な方法でボード１上に立つか、もしくは手をのせる。例えば２本足もしくは片足でボード１上に立つか、両手もしくは片手でボード１を押すようにしてもよい。ボード１にロープ１０を設けてある場合には、ボード１に立つと同時に手でロープ１０を引く。電動機５が作動すると、ボード１に設定された周波数の振動が発生し、利用者は足もしくは手のひら、足部もしくは肩部から全身に振動を感じることができる。電子タイマーなどを利用する調整方法で、電動機の回転速度を調整して振動の強度を調節することができる。手や足部の振動を介して全身に振動効果をえることができ、利用者の全身の血行促進を高め、新陳代謝を促進して筋肉をほぐし、疲労回復、ダイエットなどの効果を得ることができる。
【００３３】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３４】
【図１】この考案の運動器具の実施例を示した説明図である。
【図２】図１に開示した運動器具の使用状態を示した説明図である。
【図３】この考案の運動器具の他の実施例を示した説明図である。
【図４】図３に開示する運動器具の使用状態を示した説明図である。
【図５】この考案の運動器具のその他の実施例を示した説明図である。
【図６】図５に開示した運動器具のＡの向きから示した部分拡大図である。
【図７】図５に開示した運動器具の使用状況を示した説明図である。
【図８】この考案の運動器具の別の実施例を示した説明図である。
【図９】図８に開示した運動器具の使用状況を示した説明図である。
【符号の説明】
【００３５】
１      ボード
２      ジョイント部
３      桿体
４      偏心タイヤ
５      電動機
６      軸受け座
７      ベルト
８      回転軸
９      タイヤ
１０    ロープ
【図１】
0003119895.tif 000003
【図２】
0003119895.tif 000004
【図３】
0003119895.tif 000005
【図４】
0003119895.tif 000006
【図５】
0003119895.tif 000007
【図６】
0003119895.tif 000008
【図７】
0003119895.tif 000009
【図８】
0003119895.tif 000010
【図９】
0003119895.tif 000011